(57)【要約】【課題】本発明は浴槽の排水構造に関するものであり、更に詳しくは、浴槽の底部に設置されるバス栓からの漏水を防止することを課題とするものである。【解決手段】浴槽の底部に開けられた排水用穴と、この排水用穴に装着されたバス栓と、浴槽の裏側で前記バス栓に装着されたバス栓継手と、かかるバス栓継手に排水パイプが連接されてなる浴槽排水構造にあって、浴槽の裏側で当該バス栓の全周を覆い、上縁が浴槽の底部の裏側に固着され、下縁がバス栓継手に固着され、かつ、排水出口を有する漏水受け具を備えた浴槽排水構造。１‥浴槽、２‥洗い場、４‥排水トラップ、６‥排水穴、７‥バス栓、９‥縁座、１０‥バス栓継手、２０‥漏水受け具、２１‥排水出口、２２‥排水用パイプ、２３‥受け具、２４‥連結具、２５‥漏水受け具の上縁、２６‥漏水受け具の下縁。【選択図】  図５
2004278017.tif 000002
【特許請求の範囲】
【請求項１】
浴槽の底部に開けられた排水用穴と、この排水用穴に装着されたバス栓と、浴槽の裏側で前記バス栓に装着されたバス栓継手と、かかるバス栓継手に排水パイプが連接されてなる浴槽排水構造にあって、浴槽の裏側で当該バス栓の全周を覆い、上縁が浴槽の底部の裏側に固着され、下縁がバス栓継手に固着され、かつ、排水出口を有する漏水受け具を備えたことを特徴とする浴槽排水構造。
【請求項２】
漏水受け具上縁及び下縁が水密に固着された請求項１記載の浴槽排水構造。
【請求項３】
漏水受け具の排水出口にパイプを連結し、当該パイプ先端を洗い場パネル内に導く請求項１記載の浴槽排水構造。
【請求項４】
漏水受け具の排水出口にパイプを連結し、当該パイプ先端を排水経路に導く請求項１記載の浴槽排水構造。
【発明の詳細な説明】
【０００１】
【発明の属する技術分野】
本発明は浴槽の排水構造に関するものであり、更に詳しくは、洗い場付き浴槽の排水構造に係るものである。
【０００２】
【従来の技術】
現在、集合住宅やホテル更には戸建て住宅にあってもＦＲＰ製の浴室が広く採用されており、浴槽の排水はその底部から排水トラップに導かれ、主排水管へ導かれている。そして、浴槽の底部に排水用の穴を開け、ここにバス栓が装着され、これにバス栓継手を螺着し、排水パイプが連接される構造となっている。
【０００３】
しかしながら、浴槽の底部の穴にバス栓が完全に水密に固着されることが望ましいところであるが、漏水のおそれがあることは事実である。そして、漏水が発生すれば浴室ユニット外への漏水であって、漏水があった場合にはこれを阻止する手段は極めて難しい。
【０００４】
図１は従来の洗い場付き浴槽を示す全体図であり、１は浴槽、２は洗い場、３はエプロン、４は排水トラップ、５はドアを示す。図２は浴槽１の底部の排水用穴が近傍の断面を示すが、排水穴６にはバス栓７が上方より嵌め込まれ、バス栓７と浴槽１の穴６の周囲より漏水の内容に各種の止水材を用いている。この例ではパッキン材８が嵌め込まれると共に、縁座９にてこれを挟み、更にエルボ状のバス栓継手１０をバス栓７と螺着する排水構造となっている。勿論、場合によっては漏水対策として穴６の周囲をコ−キング材処理をすることもある。１１は浴槽側の排水経路である。
【０００５】
このように、従来の浴槽におけるバス栓近傍はむき出しになっているため、漏水が発生した場合には直接コンクリ−トスラブ上に水が溜り、階下への影響は大きいものであった。
【０００６】
かかる漏水の発生に対して二重パン、即ち浴槽の底を囲んで第２の防水パンを設置し、漏水した場合にはこの第２の防水パンにて受ける構造のものもあるが、これは安全ではあるがコストアップとなってしまうという問題がある。又、浴槽が乗せられている部分は汚れやすく、清掃しにくいため、悪臭の原因にもなるという問題も指摘されている。
【０００７】
【発明が解決しようとする課題】
本発明は、以上のような従来の技術に鑑みてなされたものであり、浴槽の底部に設置されるバス栓からの漏水を防止することを課題とするものである。
【０００８】
【課題を解決するための手段】
本発明の要旨は、浴槽の底部に開けられた排水用穴と、この排水用穴に装着されたバス栓と、浴槽の裏側で前記バス栓に装着されたバス栓継手と、かかるバス栓継手に排水パイプが連接されてなる浴槽排水構造にあって、浴槽の裏側で当該バス栓の全周を覆い、上縁が浴槽の底部の裏側に水密に固着され、下縁がバス栓継手に水密に固着され、かつ、排水出口を有する漏水受け具を備えたことを特徴とするものである。
【０００９】
【発明の実施の形態】
本発明の特徴は漏水が生じやすいと思われる浴槽の形成された排水用穴とバス栓とを浴槽の裏側で漏水受け具にて囲み、この漏水受け具に備えられた排水出口と洗い場或いは排水経路間をパイプにて連結してなるものである。このため、万一かかる個所より漏水があったとしても受け具にて漏水自体を受け、ここに集まった漏水を洗い場側に流すか、排水経路に繋げるかするものである。かかる漏水受け具の材質は特に限定されるものではないが、通常、ＦＲＰ、ＨＩＰＳ、ＡＢＳ等の樹脂で構成される。
【００１０】
【実施例】
以下、本発明の浴槽排水構造を図面をもって更に説明する。図３は本発明の第１例を示す全体図であり、図４は本発明の第２例を示す全体図である。図５はその主要部の断面図である。
【００１１】
図中、符号１〜１０は図１にて説明した通りでありここでは説明は省略する。
さて、本発明の特徴は浴槽１の裏側にて、排水穴６、バス栓７パッキン材８、縁座９、バス栓継手１０の上端を囲んでＡＢＳ樹脂製の漏水受け具２０を配置したものであり、万一漏水があった場合にはかかる漏水受け具２０にて受け、これを排水することになる。
【００１２】
即ち、漏水受け具２０にて受けた漏水は、これを洗い場に導く（図３）か、排水経路に導く（図４）ものである。従って、漏水受け具２０には排水出口２１を備えるものであり、これにパイプ２２が連結され、夫々の部位に導かれることになる。図３においては漏水は洗い場２の受け具２３に導かれ、洗い場２に備えられた図示しない排水口より排水トラップ４に流れ込むことになり、図４においては排水経路１１の連結具２４に導かれ、これ又排水トラップ４に流れ込むことになる。図３にて示した発明は、洗い場２に漏水が流れ出ることになるが、この発明の特徴は漏水が目視できることであって、漏水の発生が直に判断できる点に特徴がある。
【００１３】
かかる漏水受け具２０はその上縁２５及び下縁２６が水密に固着されるものであって、上縁２５は排水穴６等を囲んで浴槽１の裏側に任意の手段で水密に固着され、下縁２６はバス栓継手１０の上部にこれ又任意の手段で水密に固着されることになる。この例ではいずれの個所もシリコンコ−キング材にて固着したものである。
【００１４】
【発明の効果】
本発明の浴槽排水構造にあっては、排水穴周辺より漏水の発生があっても、これが浴槽システム系内にて処理することができることとなったものであり、階下等への漏水による被害が阻止できることとなったもので、その実用的価値は極めて高い。
【図面の簡単な説明】
【図１】図１は従来の浴槽排水システムの全体図である。
【図２】図２は図１における排水システムの主要部の断面図である。
【図３】図３は本発明の第１例の浴槽排水システムの全体図である。
【図４】図４は本発明の第２例の浴槽排水システムの全体図である。
【図５】図５は本発明の排水システムの主要部の断面図である。
【符号の説明】
１‥浴槽、
２‥洗い場、
３‥エプロン、
４‥排水トラップ、
５‥ドア、
６‥排水穴、
７‥バス栓、
８‥パッキン材、
９‥縁座、
１０‥バス栓継手、
２０‥漏水受け具、
２１‥排水出口、
２２‥排水用パイプ、
２３‥受け具、
２４‥連結具、
２５‥漏水受け具の上縁、
２６‥漏水受け具の下縁。
【図１】
2004278017.tif 000003
【図２】
2004278017.tif 000004
【図３】
2004278017.tif 000005
【図４】
2004278017.tif 000006
【図５】
2004278017.tif 000007